【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
動画を撮像する動画撮像手段と、
前記動画撮像手段によって撮像された動画を記録保存する動画記録手段と、
前記動画記録手段に記録されている動画を再生する画像再生手段と、
前記画像再生手段によって再生される動画の各コマ毎に人物の数を取得する人数情報取得手段と、
生成される静止画像のレイアウトの情報を複数記憶するレイアウト情報記憶手段と、
中心画像を選択する画像選択手段と、
前記レイアウト情報記憶手段に記憶されている複数のレイアウトの中から静止画生成に用いるレイアウトを選択するレイアウト選択手段と、
前記人数情報取得手段によって取得された人物数が所定数のコマである画像の中から前記画像選択手段によって選択された中心画像と他の動画像を前記レイアウト選択手段によって選択されたレイアウトに基づいて配置した静止画像の画像データを生成する静止画生成手段と、
を特徴とする撮像装置。
【請求項２】
前記人物の数は撮像装置に顔を向けた人物の数であることを特徴とする請求項１に記載の撮像装置。
【請求項３】
前記静止画生成手段によって生成された画像データを出力する出力手段を更に備えたことを特徴とする請求項１または２に記載の撮像装置。
【請求項４】
前記所定数を設定する人数設定手段を備え、
前記人数設定手段によって設定される数は複数の数であることを特徴とする請求項１乃至３のいずれか１項に記載の撮像装置。
【請求項５】
動画を撮像する動画撮像手段と、
前記動画撮像手段によって撮像された動画を記録保存する動画記録手段と、
前記動画記録手段に記録されている動画を再生する画像再生手段と、
前記画像再生手段によって再生される動画の各コマ毎に人物の数を取得する人数情報取得手段と、
前記人数情報取得手段によって取得された動画の各コマ毎の人物の数を前記画像再生手段の再生対象とした動画に関連付けて前記動画記録手段に保存する人物数保存制御手段と、
を備えたことを特徴とする撮像装置。
【請求項６】
前記動画記録手段に記録されている動画を再生する第２の画像再生手段と、
前記第２の画像再生手段による前記動画の再生時に、該動画に関連付けて前記動画記録手段に保存されている各コマ毎の人物の数を取り出す人物情報取得手段と、
前記人数情報取得手段によって取得された人物の数が所定数であるコマについてのみ前記画像再生手段によって再生される動画を表示する画像表示制御手段と、
前記人数情報取得手段によって取得された人物の数が所定数であるコマについてのみ画像データを出力する出力手段と、
を備えたことを特徴とする請求項５に記載の撮像装置。
【請求項７】
前記人物の数は撮像装置に顔を向けた人物の数であることを特徴とする請求項５または６のいずれかに記載の撮像装置。
【請求項８】
動画再生時における画像の出力方法であって、
動画を再生する工程と、
再生される動画の各コマ毎に人物の数を取得する工程と、
人物数の条件を指定する工程と、
前記取得した人物の数が指定された条件を満たす数であるコマについてのみ前記再生された動画を表示する工程と、
前記取得した人物数が指定された条件を満たす数であるコマの画像データのみを出力する工程と、
を備えたことを特徴とする画像出力方法。
【請求項９】
動画を記録保存する動画記録手段と、
前記動画記録手段に記録されている動画を再生する画像再生手段と、
前記画像再生手段によって再生される動画の各コマ毎に人物の数を取得する人数情報取得手段と、
前記人数情報取得手段によって取得された人物数が所定数であるコマについてのみ前記画像再生手段によって再生された動画を表示する画像表示制御手段を備えたことを特徴とする再生装置。
【請求項１０】
前記人物の数は人物の顔の数であることを特徴とする請求項９記載の再生装置。
【請求項１１】
画像記録メモリを備えたコンピュータに、
前記画像記録メモリに記録されている動画を再生する機能と、
前記再生される動画の各コマ毎に人物の数を取得する機能と、
前記取得された人物数が所定数であるコマについて前記再生された動画を表示する機能と、
を実行させるプログラム。
【請求項１２】
画像記録メモリを備えたコンピュータに、
前記画像記録メモリに記録されている動画を再生する第１の動画再生機能と、
前記再生される動画の各コマ毎に人物の数を取得する機能と、
前記取得された動画の各コマ毎の人物の数を前記再生対象とした動画に関連付けて前記画像記録メモリに保存する機能と、
前記保存終了後、前記画像記録メモリに記録されている動画を再生する第２の動画再生機能と、
前記第２の画像再生手段による前記動画の再生時に、該動画に関連付けて前記動画記録手段に保存されている各コマ毎の人物の数を取り出す機能と、
前記取得された人物数が所定数であるコマについて、前記第２の動画再生機能によって再生された動画を表示する機能と、
前記取得された人物数が所定数であるコマの画像データを出力する機能と、
を実行させるプログラム。
【請求項１３】
請求項１１に記載のプログラムを記憶したことを特徴とするコンピュータ読み取り可能な記憶媒体。
【請求項１４】
請求項１２に記載のプログラムを記憶したことを特徴とするコンピュータ読み取り可能な記憶媒体。
【手続補正２】
【補正対象書類名】明細書
【補正対象項目名】０００８
【補正方法】変更
【補正の内容】
【０００８】
上記課題を解決するために、請求項１に記載の発明では、生成される静止画像のレイアウトの情報を複数記憶するレイアウト情報記憶手段と、中心画像を選択する画像選択手段と、レイアウト情報記憶手段に記憶されている複数のレイアウトの中から静止画生成に用いるレイアウトを選択するレイアウト選択手段と、人数情報取得手段によって取得された人物数が所定数のコマである画像の中から画像選択手段によって選択された中心画像と該中心画像に前後して撮像された動画像をレイアウト選択手段によって選択されたレイアウトに基づいて配置した静止画像の画像データを生成する静止画生成手段と、を備えたことを特徴とする撮像装置を提供する。
これにより、動画から所定数の人物が写っているコマを取得し、その中からユーザが所望する画像を中心とした所定のレイアウトの静止画を生成することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、請求項２に記載の発明では、人物の数は撮像装置に顔を向けた人物の数であることを特徴とする請求項１に記載の撮像装置を提供する。
これにより、動画の各コマに写っている画像のうちで所定数の人物が撮像装置の方を向いているコマを動画表示することができる。また、人物数が所定数であるコマについてのみ動画表示するので、動画再生に伴う時間を全体的に短縮できる。また、動画中で、皆が撮像装置の方を向いている画像を皆で楽しく鑑賞できる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、請求項３に記載の発明では、静止画生成手段によって生成された画像データを出力する出力手段を備えたことを特徴とする請求項１または２に記載の撮像装置を提供する。
これにより、ユーザは所望の複数の人数の人物が写っている動画像の中から所望する画像を中心とした所定のレイアウトの静止画を生成して出力（記録またはプリンタ等や外部処理装置に送信）できる。
【手続補正８】
【補正対象書類名】明細書
【補正対象項目名】００１４
【補正方法】変更
【補正の内容】
【００１４】
また、請求項４に記載の発明では、所定数を設定する人数設定手段を備え、人数設定手段によって設定される数は複数の数であることを特徴とする請求項１乃至３のいずれか１項に記載の撮像装置を提供する。
これにより、ユーザは、複数の数、たとえば、所定数として５を設定すると、動画中で５人の人物が写っているコマを検出し、検出したコマの画像の中から所望する画像を中心とした所定のレイアウトの静止画を生成することができる。また、動画から５人の人物が写っているコマを取得して動画表示したり、出力（記録、印刷、若しくは外部処理装置に送信）することができる。また、ユーザは、例えば、所定数として３を設定すると、動画中で３人以上の人物が写っているコマを検出し、検出したコマの画像の中から所望する画像を中心とした所定のレイアウトの静止画を生成することができる。また、動画から３人以上の人物が写っているコマを取得して動画表示したり、出力することができる。
【手続補正９】
【補正対象書類名】明細書
【補正対象項目名】００１５
【補正方法】変更
【補正の内容】
【００１５】
また、請求項５に記載の発明では、動画を撮像する動画撮像手段と、動画撮像手段によって撮像された動画を記録保存する動画記録手段と、動画記録手段に記録されている動画を再生する画像再生手段と、画像再生手段によって再生される動画の各コマ毎に人物の数を取得する人数情報取得手段と、人数情報取得手段によって取得された動画の各コマ毎の人物の数を画像再生手段の再生対象とした動画に関連付けて動画記録手段に保存する人物数保存制御手段と、を備えたことを特徴とする撮像装置を提供する。
これにより、動画の各コマ毎の人数を記憶した多人数静止画位置データを記録されているその動画に関連付けて保存できる。
【手続補正１０】
【補正対象書類名】明細書
【補正対象項目名】００１６
【補正方法】変更
【補正の内容】
【００１６】
また、請求項６に記載の発明では、動画記録手段に記録されている動画を再生する第２の画像再生手段と、第２の画像再生手段による動画の再生時に、該動画に関連付けて動画記録手段に保存されている各コマ毎の人物の数を取り出す人物情報取得手段と、人数情報取得手段によって取得された人物の数が所定数であるコマについてのみ画像再生手段によって再生される動画を表示する画像表示制御手段と、人数情報取得手段によって取得された人物の数が所定数であるコマについてのみ画像データを出力する出力手段と、を備えたことを特徴とする請求項５に記載の撮像装置を提供する。
これにより、動画ファイルが多人数静止画位置データと関連付けられていない場合は多人数静止画位置データを生成するが、人物情報取得の際に動画表示を伴わないのでより短時間で済み、一回多人数静止画位置データを生成しておけば、次回からは人数検出処理を伴うことなく直ちに多人数静止画像出力動作を開始できる。つまり、この場合の多人数静止画出力動作は人数検出処理を伴わないので動画再生および静止画生成に伴う時間が短時間で済む。
【手続補正１１】
【補正対象書類名】明細書
【補正対象項目名】００１７
【補正方法】変更
【補正の内容】
【００１７】
また、請求項７に記載の発明では、人物の数は撮像装置に顔を向けた人物の数であることを特徴とする請求項５または６のいずれかに記載の撮像装置を提供する。
これにより、動画から所定数の人物が写っているコマを取得して出力（記録、印刷、若しくは外部処理装置に送信）することができる。また、動画の各コマに写っている画像のうちで所定数の人物が写っているコマを動画表示し、出力することができるので、出力先の装置を用いて動画中で、皆が撮像装置の方を向いている画像を抽出して表示したりプリントして皆で楽しく鑑賞できる。
【手続補正１２】
【補正対象書類名】明細書
【補正対象項目名】００１８
【補正方法】変更
【補正の内容】
【００１８】
また、請求項８に記載の発明では、動画再生時における画像の出力方法であって、動画を再生する工程と、再生される動画の各コマ毎に人物の数を取得する工程と、人物数の条件を指定する工程と、取得した人物の数が指定された条件を満たす数であるコマについてのみ再生された動画を表示する工程と、取得した人物数が指定された条件を満たす数であるコマの画像データのみを出力する工程と、を備えたことを特徴とする画像出力方法を提供する。
これにより、動画の各コマに写っている画像に写っている人物の数を取得し、指定した条件を満たす数の人物が写っているコマをのみ動画表示するので、動画再生に伴う時間を全体的に短縮できる。
【手続補正１３】
【補正対象書類名】明細書
【補正対象項目名】００１９
【補正方法】変更
【補正の内容】
【００１９】
また、請求項９に記載の発明では、動画を記録保存する動画記録手段と、動画記録手段に記録されている動画を再生する画像再生手段と、画像再生手段によって再生される動画の各コマ毎に人物の数を取得する人数情報取得手段と、人数情報取得手段によって取得された人物数が所定数であるコマについてのみ画像再生手段によって再生された動画を表示する画像表示制御手段を備えたことを特徴とする再生装置を提供する。
これにより、動画の各コマに写っている人物の数を取得することができるので、指定した数の人物が写っているコマの画像を表示したり、出力（記録、印刷、若しくは外部処理装置に送信）することができる。
【手続補正１４】
【補正対象書類名】明細書
【補正対象項目名】００２０
【補正方法】変更
【補正の内容】
【００２０】
また、請求項１０に記載の発明では、人物の数は人物の顔の数であることを特徴とする請求項９に記載の再生装置を提供する。
これにより、動画の各コマに写っている画像のうちで所定数の人物が撮像装置の方を向いているコマを動画表示することができる。また、人物数が所定数であるコマについてのみ動画表示するので、動画再生に伴う時間を全体的に短縮できる。また、動画中で、皆が撮像装置の方を向いている画像を皆で楽しく鑑賞できる。
【手続補正１５】
【補正対象書類名】明細書
【補正対象項目名】００２１
【補正方法】変更
【補正の内容】
【００２１】
また、請求項１１に記載の発明では、画像記録メモリを備えたコンピュータに、再生される動画の各コマ毎に人物の数を取得する機能と、取得された人物数が所定数であるコマについて再生された動画を表示する機能と、を実行させるプログラムを提供する。
これにより、動画再生時に、動画の各コマの画像に写っている人物の数を取得し、所定数の人物が写っているコマをのみ動画表示するので、動画再生に伴う時間を全体的に短縮できる。
【手続補正１６】
【補正対象書類名】明細書
【補正対象項目名】００２２
【補正方法】変更
【補正の内容】
【００２２】
また、請求項１２に記載の発明では、画像記録メモリを備えたコンピュータに、画像記録メモリに記録されている動画を再生する第１の動画再生機能と、再生される動画の各コマ毎に人物の数を取得する機能と、取得された動画の各コマ毎の人物の数を再生対象とした動画に関連付けて画像記録メモリに保存する機能と、保存終了後、画像記録メモリに記録されている動画を再生する第２の動画再生機能と、第２の画像再生手段による動画の再生時に、該動画に関連付けて動画記録手段に保存されている各コマ毎の人物の数を取り出す機能と、取得された人物数が所定数であるコマについて、第２の動画再生機能によって再生された動画を表示する機能と、取得された人物数が所定数であるコマの画像データを出力する機能と、を実行させるプログラムを提供する。
これにより、動画が多人数静止画位置データと関連付けられていない場合は多人数静止画位置データを生成し、動画が多人数静止画位置データと関連付けられていない場合は多人数静止画位置データを生成しないので、一回多人数静止画位置データを生成しておけば、次回からは人数検出処理を伴うことなく直ちに多人数静止画像出力動作を開始できる。つまり、この場合の多人数静止画出力動作は人数検出処理を伴わないので動画再生および静止画生成に伴う時間が短時間で済む
【手続補正１７】
【補正対象書類名】明細書
【補正対象項目名】００２３
【補正方法】変更
【補正の内容】
【００２３】
また、請求項１３に記載の発明では、請求項１１に記載のプログラムを記憶したことを特徴とするコンピュータ読み取り可能な記憶媒体を提供する。
この記憶媒体に格納されたプログラムを実行することにより、動画再生時に、動画の各コマの画像に写っている人物の数を取得し、所定数の人物が写っているコマのみを動画表示するので、動画再生に伴う時間を全体的に短縮できる。
【手続補正１８】
【補正対象書類名】明細書
【補正対象項目名】００２４
【補正方法】変更
【補正の内容】
【００２４】
また、請求項１４に記載の発明では、請求項１２に記載のプログラムを記憶したことを特徴とするコンピュータ読み取り可能な記憶媒体を提供する。
この記憶媒体に格納されたプログラムを実行することにより、動画が多人数静止画位置データと関連付けられていない場合は多人数静止画位置データを生成し、動画が多人数静止画位置データと関連付けられていない場合は多人数静止画位置データを生成しないので、一回多人数静止画位置データを生成しておけば、次回からは人数検出処理を伴うことなく直ちに多人数静止画像出力動作を開始できる。つまり、この場合の多人数静止画出力動作は人数検出処理を伴わないのでより動画再生および静止画生成に伴う時間が短時間で済む。